(57)【特許請求の範囲】
【請求項１】
粘性を有する液剤を収納する収納部の先端に、基部に装着穴を有するとともに該装着穴の天面に液剤吐出用の小孔が開口形成されたノズル部材が着脱交換自在に取付けられるノズル取付部を有し、該取付部は、ノズル部材の基部装着穴に挿入される円筒状の挿入部と、該挿入部の外周側に設けられ且つ内面にネジが形成された円筒状の接続部とからなり、ノズル部材の基端部に設けた係合片が前記ネジに螺合することでノズル部材が前記ノズル取付部に取付けられる粘性液剤注入用シリンジにおいて、
前記挿入部の先端部がノズル部材の前記装着穴の天面に丁度当接する位置からノズル部材をさらにノズル取付部に所定量ねじ込んだときに前記係合片に係合してノズル部材のねじ込みを阻止する凸部が前記接続部内面に設けられていることを特徴とする粘性液剤注入用シリンジ。
【請求項２】
前記挿入部は、軸方向中途部の外径が前記装着穴の口径とほぼ等しくされるとともに、軸方向中途部から先端側に至るに従って内径が徐々に小径に形成されており、該挿入部の先端部をノズル部材の前記装着穴の天面に当接させることで挿入部の先端開口を小孔に直接接続し、これにより挿入部内部空間から前記小孔に至る液剤吐出路を先端側に至るに従って徐々に小径となるように構成してあることを特徴とする請求項１に記載の粘性液剤注入用シリンジ。
【請求項３】
前記挿入部の外周面に、軸方向に延びるエア抜き溝が形成されており、該エア抜き溝を介して挿入部先端側の前記装着穴内部空間と挿入部基部側の前記接続部内部空間とが連通することを特徴とする請求項２に記載の粘性液剤注入用シリンジ。
【請求項４】
粘性を有する液剤を収納する収納部の先端に、基部に装着穴を有するとともに該装着穴の天面に液剤吐出用の小孔が開口形成されたノズル部材が着脱交換自在に取付けられるノズル取付部を有し、該取付部は、ノズル部材の基部装着穴に挿入される円筒状の挿入部と、該挿入部の外周側に設けられ且つ内面にネジが形成された円筒状の接続部とからなり、ノズル部材の基端部に設けた係合片が前記ネジに螺合することでノズル部材が前記ノズル取付部に取付けられる粘性液剤注入用シリンジにおいて、
前記挿入部は、軸方向中途部の外径が前記装着穴の口径とほぼ等しくされるとともに、軸方向中途部から先端側に至るに従って内径が徐々に小径に形成されており、該挿入部の先端部をノズル部材の前記装着穴の天面に当接させることで挿入部の先端開口を小孔に直接接続し、これにより挿入部内部空間から前記小孔に至る液剤吐出路を先端側に至るに従って徐々に小径となるように構成してあるとともに、前記挿入部の外周面に、軸方向に延びるエア抜き溝が形成されており、該エア抜き溝を介して挿入部先端側の前記装着穴内部空間と挿入部基部側の前記接続部内部空間とが連通することを特徴とする粘性液剤注入用シリンジ。
【発明の詳細な説明】
【技術分野】
【０００１】
本発明は、歯科用感光性充填材やヒアルロン酸製剤などのある程度の粘性を有する液剤を所定部位に注入するための粘性液剤注入用シリンジに関する。
【背景技術】
【０００２】
この種従来の歯科用感光性充填材注入用シリンジ２０は、図９に示すように、歯科用感光性充填材を収納する円筒状収納部２１の先端部にノズル取付部２２が設けられたものであり、このノズル取付部２２に別途市販されているノズル部材２３が着脱交換可能に取付けられるようになっている。ノズル部材２３は、基部に装着穴２４を有するとともに該装着穴２４の天面に液剤吐出用の小孔２５が開口形成されており、小孔２５を介して微量ずつ歯科用感光性充填材を吐出できるようになっている。ノズル取付部２２は、ノズル部材２３の基部装着穴２４に挿入される円筒状の挿入部２６と、該挿入部２６の外周側に設けられ且つ内面に二条ネジ２７が形成された円筒状の接続部２８とからなり、ノズル部材２３の基端部に設けた係合片２９が前記ネジ２７に螺合することでノズル部材２３がノズル取付部２２に取付けられる。また、シリンジ２０の後部側には押出ロッド（図示せず）が取付けられ、押出ロッドを押し込み操作することによって、収納部２１内の充填材をノズル部材２３を介して吐出し得るようになっている。
【発明の開示】
【発明が解決しようとする課題】
【０００３】
上記従来のシリンジ２０は、その使用の際、Ｃ型肝炎等の感染を防止するために患者ごとにノズル部材２３を廃棄交換するが、装着穴２４の奥部に大きな空間が存在するため、次の使用の際に充填材に気泡が混入することがあり、窩洞への充填・硬化時においても材料内に気泡が混入し、これにより十分な材料特性を得ることができず、吐出された材料の摩耗性、曲げ強度、圧縮強度などへの悪影響が生じていた。また摩耗により気泡が表面に現れ、細菌の繁殖など口腔衛生上の問題も抱えていた。特に、本願出願人らは、ノズル部材の交換の際に高価な歯科用感光性充填材が廃棄されるノズル部材内に残存することを防止するために押出ロッドの操作後に自動的にノズル部材内の充填材を吸い戻すシリンジを開発しているが、装着穴２４の奥側周縁のコーナー部に微小な気泡が存在すると、この気泡とともに充填材をシリンジに吸い戻してしまい、これにより気泡が充填材内に混入してしまう。また、ノズル部材２３を交換する際の取り外し性を考慮してネジと係合片とを緩く螺合させるとノズル部材２３の脱落のおそれがあるため、通常はある程度の締め付け力を有する程度に両者を螺合させているが、脱着作業性が悪く、迅速な交換が困難となっていた。
【０００４】
気泡の混入を防止するために、特許文献１には、ノズル部材の構造に関する改良が提案されている。
【特許文献１】特開２００３−２６００６５号公報
【０００５】
しかし、特許文献１に提案された手段では、既に大量に流通している現状のノズル部材を使用することができない。
【０００６】
そこで、本発明は、従来の規格品のノズル部材を使用しつつも、粘性を有する液剤への気泡の混入を防止することができるとともに、ノズル部材の着脱を軽い力で行えるものでありながらノズル部材の不慮の脱落を防止できるシリンジを提供することを目的とする。
【課題を解決するための手段】
【０００７】
本発明の粘性液剤注入用シリンジは、粘性を有する液剤を収納する収納部の先端に、基部に装着穴を有するとともに該装着穴の天面に液剤吐出用の小孔が開口形成されたノズル部材が着脱交換自在に取付けられるノズル取付部を有し、該取付部は、ノズル部材の基部装着穴に挿入される円筒状の挿入部と、該挿入部の外周側に設けられ且つ内面にネジが形成された円筒状の接続部とからなり、ノズル部材の基端部に設けた係合片が前記ネジに螺合することでノズル部材が前記ノズル取付部に取付けられるものである。前記挿入部の内部空間は収納部の内部空間と連通し、液剤が挿入部の内部空間を通って吐出されるものであってよい。接続部内面のネジは、好ましくは二条ネジとすることができる。ノズル部材の小孔は、装着穴の軸中央部に設けられていてよい。
【０００８】
前記挿入部は、軸方向中途部の外径が前記装着穴の口径とほぼ等しくされるとともに、軸方向中途部から先端側に至るに従って内径が徐々に小径に形成されており、該挿入部の先端部をノズル部材の前記装着穴の天面に当接させることで挿入部の先端開口を小孔に直接接続し、これにより挿入部内部空間から前記小孔に至る液剤吐出路を先端側に至るに従って徐々に小径となるように構成することが好ましい。かかる構成によれば、ノズル部材の開口端部における液剤吐出路の段差をできるだけ小さくすることができ、該段差部分に気泡が生じることがなく、液剤の吸い戻し時などにおいても気泡が充填材内に混入することがない。
【０００９】
また、好ましくは、前記挿入部の先端部がノズル部材の前記装着穴の天面に丁度当接する位置からノズル部材をさらにノズル取付部に所定量ねじ込んだときに前記係合片に係合してノズル部材のねじ込みを阻止する凸部を前記接続部内面に設けることができる。かかる構成によれば、挿入部の先端部が装着穴に天面に当接した状態でさらに増し締めをすることで、ネジ締結力を大きくすることができる。したがって、ノズル部材を軽い力で締め込めるようにネジ山と係合片との間のスキマを大きくした場合でも、ねじ込み終端では強い締結力を得ることができ、ノズル部材が不慮に脱落することを防止できる。さらに、凸部によってノズル部材のねじ込み量を規制することにより、挿入部の先端部の潰れを防止しつつ、挿入部の先端部と装着穴の天面との密着力を一定なものとし、当該部位における気密性を確保できる。なお、ネジと係合片との間には所定のスキマが形成されているので、挿入部の先端部が装着穴の天面に当接した後さらに増し締めを行うと、接続部に対してノズル部材は殆ど軸方向に移動することなく凸部に係合する迄ノズル部材が回転し、これによりネジのネジ山の下側縁に係合片が強く押しつけられるとともに、挿入部の先端部が装着穴の天面に強く押しつけられる。
【００１０】
好ましくは、前記挿入部の外周面に、軸方向に延びるエア抜き溝を形成し、該エア抜き溝を介して挿入部先端側の前記装着穴内部空間と挿入部基部側の前記接続部内部空間とを連通させることができる。かかる構成によれば、ノズル部材の取付け時に挿入部先端側の収納部内部空間内圧力が大きくなって、該空間から挿入部内若しくはノズル部材の小孔内にエアが流入してしまうことを防止できる。
【発明の効果】
【００１１】
本発明のシリンジによれば、粘性を有する液剤への気泡の混入を防止することができるとともに、ノズル部材の着脱を軽い力で行えるものでありながらノズル部材の不慮の脱落を防止できる。
【発明を実施するための最良の形態】
【００１２】
以下、本発明の好適な実施形態を図面に基づいて説明する。
【００１３】
図１〜図４は本発明の一実施形態に係る歯科用充填材注入用シリンジ１の先端部構造を示し、該シリンジ１は、粘性を有する液剤を収納する円筒状収納部２と、該収納部２の先端に設けられたノズル取付部３とを備え、該取付部３にノズル部材４（先端チップ）が着脱交換自在に取付けられるようになっている。収納部２の後部には押出ロッド（図示せず）が取付けられ、該ロッドを押し込むことによって収納部２内の液剤を吐出可能に構成されている。
【００１４】
収納部２に収納される液剤としては、歯科用充填材料、好ましくは光重合型フロー充填材を用いることができ、その粘度が５〜１０００Ｐａ・ｓのものを用いるのが好ましい。特に好ましくは、口腔内で歯の窩洞や裂溝に直接充填する為の充填材を用いることができる。
【００１５】
上記ノズル部材４は、図４に示すように、基端側に開口形成された断面円形状の装着穴５を有する円筒状の基部６と、該基部６の先端側に取付けられた細管７とを備えている。該細管７は装着穴５の天面に開口しており、これにより装着穴５の天面の中央に液剤吐出用の小孔８が開口形成されている。基部６の基端部外周には径方向に突出する係合片１２が設けられており、図示実施例では直径方向二カ所に２つの係合片１２が設けられている。
【００１６】
上記ノズル取付部３は、ノズル部材４の基部装着穴５に挿入される円筒状の挿入部９と、該挿入部９の外周側に設けられ且つ内面に二条ネジ１０が形成された円筒状の接続部１１とからなる。挿入部９と接続部１１とは同心状に設けられ、挿入部９外周面と接続部１１内周面との間にはノズル部材４の基部６が挿入されるスキマが形成されている。そして、ノズル部材４の基端部に設けた係合片１２が前記ネジ１０に螺合することで、ノズル部材４が前記ノズル取付部３にねじ込むようにして取付けられるようになっている。
【００１７】
上記挿入部９は、軸方向中途部の外径が前記装着穴５の口径とほぼ等しくされるとともに、軸方向中途部から先端側に至るに従って内径及び外径が徐々に小径に形成されて、全体として先窄み状に形成されている。挿入部９の先端部の口径は可能な限り小さいことが好ましいが、成形性や歩留まりの観点から適度な大きさとすることができる。
【００１８】
この挿入部９の先端部は、ノズル部材４を締め込んでいくことでノズル部材４の装着穴５の天面に当接するように構成されており、挿入部９の先端面を装着穴５の天面に当接させることで挿入部９の先端開口を小孔８に直接接続し、これにより挿入部９内部空間から前記小孔８に至る液剤吐出路を先端側に至るに従って徐々に小径となるように構成してある。
【００１９】
さらに、上記挿入部９の先端部がノズル部材４の装着穴５の天面に丁度当接する位置（図３に仮想線で示す位置）から、ノズル部材４をさらにノズル取付部３に所定量ねじ込んだとき（図１に仮想線で示す位置）に前記係合片１２に係合してノズル部材３のねじ込みを阻止する凸部１３が接続部１１内面に設けられている。該凸部１３は、図示実施例では、ネジ１０のネジ山高さよりも高く突出するとともにネジ１０の螺旋方向中途部から軸方向に延びるリブにより構成されており、２つの係合片１２に対応して直径方向２カ所に設けられている。
【００２０】
また、挿入部９の外周面には、軸方向に延びるエア抜き溝１４が直径方向２カ所に形成されており、ノズル部材４を取付部３に取付けた状態でエア抜き溝１４を介して挿入部９先端側の装着穴５内部空間と挿入部９基部側の接続部１１内部空間とが連通するようになっている。
【００２１】
上記実施形態に係るシリンジ１によれば、市販の規格品のノズル部材４を用いつつも、液剤吐出路の中途部の段差をできるだけ小さくすることができ、該段差部に気泡が滞留することなく円滑に液剤が吐出されるので、粘性を有する歯科用感光性充填材などの液剤への気泡の混入を防止することができる。さらに、ノズル部材４をねじ込む最後の時点で増し締めを行うことによってネジ締結力を大きくするものであるから、ネジ１０に対して係合片１２を比較的緩く螺合させることができ、これによりノズル部材４の着脱を軽い力で行えるものでありながらノズル部材４の不慮の脱落を防止できるようになる。加えて、凸部１３によってノズル部材４をねじ込む最終位置を規制するものであるから、挿入部９先端面と装着穴５の天面との密着力が大きくなり過ぎて挿入部９を潰してしまうことを防止できる。
【００２２】
なお、市販のノズル部材には、図５に示すような小孔８の径が非常に小さい細型チップ４’が存在し、この細型チップ４’においては装着穴５の天面５’の周囲に環状の溝部１４が形成されている。したがって、図１〜図３に示すシリンジに細型チップ４’を取付けた場合、図５に示すように、該溝部１４に挿入部９の先端部が嵌入し、液剤部吐出路に比較的大きな段差が形成されてしまうとともに、細型チップ４’を取り外した時に挿入部９の先端近傍に液剤が存在しない空間が必然的に形成されてしまう。したがって、細型チップ４’を用いる場合には、図６に示すように、凸部１３を設ける位置を調節するとともに、天面５’に当接するように挿入部９の先端部の肉厚ならびに先端開口径を選定するのが好ましい。なお、図５において、上記実施形態と同様の構成については同符号を付して詳細説明を省略する。
【００２３】
図７は細型チップ４’に対応した本発明のさらに別の実施形態を示している。本実施形態においては、挿入部９’は、シリンジ１’の先端部に一体成形された先窄み円筒状のホルダー９ａと、該ホルダー９ａ内に一体的に嵌着された先端チップ９ｂとからなる。なお、ホルダー９ａは、上記実施形態における挿入部９と同一構造であり、上記実施形態のシリンジの挿入部９に先端チップ９ｂを取付けることによって本実施形態のシリンジ１’を構成できる。すなわち、シリンジへの液剤充填前に、細型チップ用か否かによって先端チップ９ｂを取付けるか否かを選択することにより、同一構造のシリンジを細型チップ並びに通常チップの双方に利用できる。
【００２４】
先端チップ９ｂは、その先端面がホルダー９ａの先端面と面一とされ、その軸長はホルダー９ａの軸長のほぼ半分程度である。また、先端チップ９ｂの内部には、軸方向に貫通する流通路１５が形成されている。該流通路１５は、軸方向２カ所において軸方向先端側が小径となるテーパー部１７ａ，１７ｂが設けられ、これにより挿入部９は軸方向中途部から先端側に至るに従って内径が徐々に小径に形成されている。そして、先端チップ９ｂの先端開口の径は細型チップ４’の小孔８の径の２倍未満とされ、該先端開口が小孔８に直接接続されるようになっている。
【００２５】
図８は細型チップ４’に対応した本発明のさらに別の実施形態を示しており、該実施形態のシリンジ１''は、シリンジ本体１８と、該シリンジ本体１８の先端部に取付けられるジョイント１９とを備えている。該ジョイント１９は、細型チップ用のものと通常チップ用のものなど、必要に応じて複数用意しておくことができる。
【００２６】
シリンジ本体１８は、液剤収納部の先端に内外二重筒構造のジョイント取付部１８ａを有し、ジョイント１９の円筒状基部１９ａが取付部１８ａに嵌着されている。ジョイント取付部１８ａは外筒１８ｂと内筒１８ｃとを備え、液剤は内筒１８ｃの内部流路を通って吐出される。ジョイント基部１９ａの内径は内筒１８ｃの外径とほぼ等しく、内筒１８ｃの外周側にジョイント基部１９ａが外嵌される。外筒１８ｂの内面とジョイント基部１９ａの外面とには、それぞれ互いに軸方向に係合する凸部１８ｄ，１９ｂが設けられ、これら凸部１８ｄ，１９ｂの係合によりジョイント１９の抜けが阻止される。なお、内筒１８ｃの外周面にも、挿入部外周面に形成したエア抜き溝と同様のエア抜き溝を設けることが好ましい。
【００２７】
本実施形態において、ノズル取付部３はジョイント１９の先端部に設けられており、挿入部９内の液剤流通路はその基端部から先端部に至るにしたがって内径が徐々に小径となるテーパー状に形成されている。上記内筒１８ｃは先窄み状に形成されており、該内筒１８ｃの先端開口部は挿入部９の液剤流通路の基端開口部に直接接続されている。これら開口部の径はほぼ等しくなされており、内筒１８ｃと挿入部９との間で液剤流通路内に段差が生じないように構成されている。
【００２８】
その他、上記実施形態と同様の構成については同符号を付して詳細説明を省略する。
【００２９】
本実施形態によれば、使用時に、細型チップ用か否かによってジョイントを選択して取付けることにより、同一構造のシリンジを細型チップ並びに通常チップの双方に利用できる。
【００３０】
本発明は上記実施形態に限定されるものではなく、例えば眼科用液剤注入シリンジなど、適宜の用途のシリンジに応用することができる。また、図７若しくは図８に示す実施形態に係るシリンジにおいても、ノズル部材のねじ込みを規制する凸部１３を設けることができる。
【図面の簡単な説明】
【００３１】
【図１】本発明の一実施形態に係るシリンジの先端部から見た正面図である。
【図２】同シリンジの先端部近傍の縦断面図である。
【図３】挿入部の先端部が装着穴天面に丁度当接したときのノズル部材を仮想線で示すシリンジの正面図である。
【図４】ノズル部材の取付け状態を示す縦断面図である。
【図５】細型チップの取付け状態を示す縦断面図である。
【図６】細型チップに対応した本発明の他の実施形態を示す縦断面図である。
【図７】細型チップに対応した本発明のさらに別の実施形態を示す縦断面図である。
【図８】細型チップに対応した本発明のさらに別の実施形態を示す縦断面図である。
【図９】従来のシリンジの縦断面図である。
【図１】
0004658710.tif 000002
【図２】
0004658710.tif 000003
【図３】
0004658710.tif 000004
【図４】
0004658710.tif 000005
【図５】
0004658710.tif 000006
【図６】
0004658710.tif 000007
【図７】
0004658710.tif 000008
【図８】
0004658710.tif 000009
【図９】
0004658710.tif 000010